(57)【要約】【課題】上下方向に所定の間隔を置いて配置された第１状態及び前後方向に一列状に配置された第２状態に、予備苗のせ台が位置変更可能に支持された移植機において、予備苗のせ台の作業性を高める。【解決手段】予備苗のせ台３１，３２を第１状態Ａ１及び第２状態に人為的に操作する為の操作具４８が備えられる。予備苗のせ台３１，３２を第１状態Ａ１及び第２状態に保持する保持状態、並びに、予備苗のせ台３１，３２の第１状態Ａ１及び第２状態への操作を許容する解除状態に人為的に操作する為の保持具４９が備えられる。操作具４８及び保持具４９が、予備苗のせ台３１の横側部に設けられ、且つ、側面視で予備苗のせ台３１よりも上側に出ない位置に配置されている。【選択図】図４
2020099262.tif 000002
【特許請求の範囲】
【請求項１】
複数の予備苗のせ台と、
複数の前記予備苗のせ台が上下方向に所定の間隔を置いて配置された第１状態、及び、複数の前記予備苗のせ台が前後方向に一列状に配置された第２状態に、複数の前記予備苗のせ台を位置変更可能に支持する支持機構と、
前記予備苗のせ台を前記第１状態及び前記第２状態に人為的に操作する為の操作具と、
前記予備苗のせ台を前記第１状態及び前記第２状態に保持する保持状態、並びに、前記予備苗のせ台の前記第１状態及び前記第２状態への操作を許容する解除状態に人為的に操作する為の保持具とが備えられて、
前記操作具及び前記保持具が、前記予備苗のせ台の横側部に設けられ、且つ、側面視で前記予備苗のせ台よりも上側に出ない位置に配置されている移植機。
【請求項２】
前記操作具が、前後方向に沿って配置され、且つ、側面視で前記予備苗のせ台よりも下側に出ない位置に配置されている請求項１に記載の移植機。
【請求項３】
前記第１状態で、前記予備苗のせ台が、側面視で運転座席よりも前側に配置されて、
前記操作具及び前記保持具が、前記予備苗のせ台における前記運転座席側の横側部に設けられ、且つ、前記予備苗のせ台における前後方向の中央部よりも後側に配置されている請求項１又は２に記載の移植機。
【請求項４】
前記第１状態で、前記予備苗のせ台が、側面視で運転座席よりも前側に配置されて、
前記操作具及び前記保持具が、前記予備苗のせ台における前記運転座席側の横側部に設けられ、且つ、
前記保持具が、前記操作具の下側に配置されている請求項１〜３のうちのいずれか一項に記載の移植機。
【請求項５】
前記保持具が、前記予備苗のせ台を前記保持状態とする保持位置、及び、前記保持位置よりも前記操作具に近い上側の位置で、前記予備苗のせ台を前記解除状態とする解除位置に、上下方向に操作可能に支持され、
前記保持具を前記保持位置に付勢する付勢機構が備えられている請求項４に記載の移植機。
【請求項６】
前記予備苗のせ台及び前記支持機構を前後方向に位置変更可能に支持する前後支持機構と、前記予備苗のせ台及び前記支持機構の位置を前後方向に人為的に変更する為の前後操作具とが備えられ、
前記第１状態で、前記前後操作具が、側面視で前記予備苗のせ台の後端部よりも前側に配置されている請求項１〜５のうちのいずれか一項に記載の移植機。
【請求項７】
前記予備苗のせ台及び前記支持機構を前後方向に位置変更可能に支持する前後支持機構と、前記予備苗のせ台及び前記支持機構の位置を前後方向に人為的に変更する為の前後操作具とが備えられ、
前記第２状態で、前記前後操作具が、側面視で前記操作具及び前記保持具よりも前側に配置されている請求項１〜６のうちのいずれか一項に記載の移植機。
【請求項８】
前記第１状態で、前記操作具が、側面視で前記前後操作具よりも上側に配置されている請求項６又は７に記載の移植機。
【請求項９】
前記第１状態で、前記予備苗のせ台が、側面視で運転座席よりも前側に配置されて、
前記前後操作具が、平面視で前記操作具よりも前記運転座席側に配置されている請求項６〜８のうちのいずれか一項に記載の移植機。
【請求項１０】
前記予備苗のせ台及び前記支持機構を支持する支持フレームが、前記前後支持機構に設けられ、
前記支持フレームが、
側面視で、前記第１状態での前記予備苗のせ台の前端部と後端部との間の前後方向の中央部を通る位置に配置され、且つ、
側面視で、前記第２状態での前記予備苗のせ台の前端部と後端部との間の前後方向の中央部を通る位置に配置される請求項６〜９のうちのいずれか一項に記載の移植機。
【発明の詳細な説明】
【技術分野】
【０００１】
本発明は、移植機における予備苗のせ台の構成に関する。
【背景技術】
【０００２】
移植機の一例である乗用型田植機では、特許文献１に開示されているように、複数の予備苗のせ台が上下方向に所定の間隔を置いて配置された第１状態、及び、複数の予備苗のせ台が前後方向に一列状に配置された第２状態に、予備苗のせ台が位置変更可能に支持されたものがある（特許文献１の図１〜図４参照）。
【０００３】
特許文献１では、予備苗のせ台を第１状態及び第２状態に操作する為の操作具（特許文献１の図７及び図１２の２９）が設けられており、作業者は、操作具を持って予備苗のせ台を第１状態から第２状態（第２状態から第１状態）に操作することができる。
【０００４】
特許文献１では、操作具に加えて保持具（特許文献１の図７及び図１２の３６）が設けられており、作業者は、保持具を操作することによって、予備苗のせ台を第１状態及び第２状態に保持する保持状態及び解除状態に操作することができる。
【先行技術文献】
【特許文献】
【０００５】
【特許文献１】特開２０１０−１１８１３号公報
【発明の概要】
【発明が解決しようとする課題】
【０００６】
移植機では、苗植付装置の苗が消費されると、作業者は、予備苗のせ台から苗を取り出して苗植付装置に補給する。予備苗のせ台の苗が無くなると、作業者は畦等から運ばれた苗を予備苗のせ台に載置する。
このように移植機では、予備苗のせ台から苗を取り出す作業や、予備苗のせ台に苗を載置する作業が繰り返されるので、予備苗のせ台の作業について、作業性を高める必要がある。
【０００７】
本発明は、複数の予備苗のせ台が上下方向に所定の間隔を置いて配置された第１状態、及び前後方向に一列状に配置された第２状態に、位置変更可能に支持された移植機において、予備苗のせ台の作業性を高めることを目的としている。
【課題を解決するための手段】
【０００８】
本発明の移植機は、複数の予備苗のせ台と、複数の前記予備苗のせ台が上下方向に所定の間隔を置いて配置された第１状態、及び、複数の前記予備苗のせ台が前後方向に一列状に配置された第２状態に、複数の前記予備苗のせ台を位置変更可能に支持する支持機構と、前記予備苗のせ台を前記第１状態及び前記第２状態に人為的に操作する為の操作具と、前記予備苗のせ台を前記第１状態及び前記第２状態に保持する保持状態、並びに、前記予備苗のせ台の前記第１状態及び前記第２状態への操作を許容する解除状態に人為的に操作する為の保持具とが備えられて、前記操作具及び前記保持具が、前記予備苗のせ台の横側部に設けられ、且つ、側面視で前記予備苗のせ台よりも上側に出ない位置に配置されている。
【０００９】
本発明によると、作業者が操作具を持って操作することにより、予備苗のせ台を第１状態及び第２状態に操作することができ、保持具を操作することにより、予備苗のせ台を保持状態及び解除状態に操作することができる。
【００１０】
本発明によると、操作具及び保持具が、予備苗のせ台の横側部に設けられ、側面視で予備苗のせ台よりも上側に出ない位置に配置されているので、作業者が予備苗のせ台から苗を取り出す作業や、予備苗のせ台に苗を載置する作業を行う際に、作業者の手が予備苗のせ台の上側近傍を通過しても、作業者の手が操作具及び保持具に接触することは少ない。
これにより、予備苗のせ台から苗を取り出す作業や、予備苗のせ台に苗を載置する作業が妨げられることは少ないのであり、予備苗のせ台の作業性が高いものとなる。
【００１１】
本発明において、前記操作具が、前後方向に沿って配置され、且つ、側面視で前記予備苗のせ台よりも下側に出ない位置に配置されていると好適である。
【００１２】
本発明によると、第１状態において、操作具が設けられた予備苗のせ台の下側の予備苗のせ台に対して、作業者が予備苗のせ台から苗を取り出す作業や、予備苗のせ台に苗を載置する作業を行う際に、作業者の手が、操作具が設けられた予備苗のせ台の下側近傍を通過しても、作業者の手が操作具に接触することは少ない。
これにより、予備苗のせ台から苗を取り出す作業や、予備苗のせ台に苗を載置する作業が妨げられることは少ないのであり、予備苗のせ台の作業性が高いものとなる。
【００１３】
本発明によると、操作具が、予備苗のせ台の横側部に前後方向に沿って配置されることにより、操作具を、側面視で予備苗のせ台よりも上側に出ない位置に配置し、且つ、側面視で予備苗のせ台よりも下側に出ない位置に配置することが、無理なく行われる。
【００１４】
本発明において、前記第１状態で、前記予備苗のせ台が、側面視で運転座席よりも前側に配置されて、前記操作具及び前記保持具が、前記予備苗のせ台における前記運転座席側の横側部に設けられ、且つ、前記予備苗のせ台における前後方向の中央部よりも後側に配置されていると好適である。
【００１５】
本発明によると、第１状態の予備苗のせ台が側面視で運転座席よりも前側に配置される場合、左右方向及び前後方向において、操作具及び保持具が運転座席に近い位置に配置されるので、運転座席の作業者が手を延ばして操作具及び保持具を持つことが容易に行えるようになり、予備苗のせ台の作業性が高いものとなる。
【００１６】
本発明において、前記第１状態で、前記予備苗のせ台が、側面視で運転座席よりも前側に配置されて、前記操作具及び前記保持具が、前記予備苗のせ台における前記運転座席側の横側部に設けられ、且つ、前記保持具が、前記操作具の下側に配置されていると好適である。
【００１７】
本発明によると、第１状態の予備苗のせ台が側面視で運転座席よりも前側に配置される場合、左右方向において、操作具及び保持具が運転座席に近い位置に配置されるので、運転座席の作業者が手を延ばして操作具及び保持具を持つことが容易に行えるようになり、予備苗のせ台の作業性が高いものとなる。
【００１８】
本発明によると、保持具が操作具の下側に配置されているので、作業者が手で操作具を握るようにして持つと、手で保持具も一緒に握るようにして持つことができるのであり、予備苗のせ台の作業性が高いものとなる。
【００１９】
本発明において、前記保持具が、前記予備苗のせ台を前記保持状態とする保持位置、及び、前記保持位置よりも前記操作具に近い上側の位置で、前記予備苗のせ台を前記解除状態とする解除位置に、上下方向に操作可能に支持され、前記保持具を前記保持位置に付勢する付勢機構が備えられていると好適である。
【００２０】
作業者が手で操作具及び保持具を握るようにして持つ場合、本発明によると、作業者が手を保持具から離していれば、保持具は自動的に保持位置に操作される。
作業者が手で操作具及び保持具を一緒に握り操作すると、保持具が解除位置に操作されるので、作業者は手で操作具及び保持具を握り操作した状態で、予備苗載せ台を第１状態から第２状態（第２状態から第１状態）に操作することができる。
【００２１】
本発明によると、操作具の下側において保持具が上下（保持位置及び解除位置）に操作されるように構成することにより、保持具の操作形態を、作業者の手の握り操作に合った状態とすることができるのであり、予備苗のせ台の作業性が高いものとなる。
【００２２】
本発明において、前記予備苗のせ台及び前記支持機構を前後方向に位置変更可能に支持する前後支持機構と、前記予備苗のせ台及び前記支持機構の位置を前後方向に人為的に変更する為の前後操作具とが備えられ、前記第１状態で、前記前後操作具が、側面視で前記予備苗のせ台の後端部よりも前側に配置されていると好適である。
【００２３】
本発明によると、第１状態に操作された予備苗のせ台及び支持機構を、前後方向に位置変更することができるのであり、第２状態に操作された予備苗のせ台及び支持機構を、前後方向に位置変更することができる。
例えば、移植機を畦等に接近させ停止させて、苗を畦等から予備苗のせ台に載置する場合、予備苗のせ台を前後方向に位置変更して畦等に接近させることにより、畦等から予備苗のせ台への苗の移動が楽に行えるようになって、作業性が高いものとなる。
【００２４】
本発明によると、予備苗のせ台及び支持機構を前側に位置変更することによって、予備苗のせ台の前端部を大きく前側に位置させることができる。特に、第２状態に操作された予備苗のせ台及び支持機構を前側に位置変更すると、第２状態に操作された予備苗のせ台の前端部を大きく前側に位置させることができる。
【００２５】
これにより、例えば深い水田のような圃場の場合、作業者が水田に足を踏み入れて作業を行うことが困難であることが多いので、前述のように予備苗のせ台の前端部を大きく前側に位置させることができると、作業者は水田に足を踏み入れなくても、苗を畦等から予備苗のせ台に載置することが容易に行える。
移植機を畦等に接近させることができない圃場の場合、前述のように予備苗のせ台の前端部を大きく前側に位置させることができると、作業者は苗を畦等から予備苗のせ台に載置することが容易に行える。
【００２６】
予備苗のせ台から苗を取り出して苗植付装置に補給する場合、予備苗のせ台を前後方向に位置変更して苗植付装置に接近させることにより、予備苗のせ台から苗植付装置への苗の移動が楽に行えるようになって、作業性が高いものとなる。
【００２７】
本発明によると、予備苗のせ台及び支持機構の位置を前後方向に人為的に変更する為の前後操作具が、側面視で第１状態の予備苗のせ台の後端部よりも前側に配置されている。
これにより、予備苗のせ台の第１状態において、作業者が予備苗のせ台から苗を取り出す作業や、予備苗のせ台に苗を載置する作業を行う際に、前後操作具が作業の妨げになり難いのであり、予備苗のせ台の作業性が高いものとなる。
【００２８】
本発明において、前記予備苗のせ台及び前記支持機構を前後方向に位置変更可能に支持する前後支持機構と、前記予備苗のせ台及び前記支持機構の位置を前後方向に人為的に変更する為の前後操作具とが備えられ、前記第２状態で、前記前後操作具が、側面視で前記操作具及び前記保持具よりも前側に配置されていると好適である。
【００２９】
本発明によると、第１状態に操作された予備苗のせ台及び支持機構を、前後方向に位置変更することができるのであり、第２状態に操作された予備苗のせ台及び支持機構を、前後方向に位置変更することができる。
例えば、移植機を畦等に接近させ停止させて、苗を畦等から予備苗のせ台に載置する場合、予備苗のせ台を前後方向に位置変更して畦等に接近させることにより、畦等から予備苗のせ台への苗の移動が楽に行えるようになって、作業性が高いものとなる。
【００３０】
本発明によると、予備苗のせ台及び支持機構を前側に位置変更することによって、予備苗のせ台の前端部を大きく前側に位置させることができる。特に、第２状態に操作された予備苗のせ台及び支持機構を前側に位置変更すると、第２状態に操作された予備苗のせ台の前端部を大きく前側に位置させることができる。
【００３１】
これにより、例えば深い水田のような圃場の場合、作業者が水田に足を踏み入れて作業を行うことが困難であることが多いので、前述のように予備苗のせ台の前端部を大きく前側に位置させることができると、作業者は水田に足を踏み入れなくても、苗を畦等から予備苗のせ台に載置することが容易に行える。
移植機を畦等に接近させることができない圃場の場合、前述のように予備苗のせ台の前端部を大きく前側に位置させることができると、作業者は苗を畦等から予備苗のせ台に載置することが容易に行える。
【００３２】
予備苗のせ台から苗を取り出して苗植付装置に補給する場合、予備苗のせ台を前後方向に位置変更して苗植付装置に接近させることにより、予備苗のせ台から苗植付装置への苗の移動が楽に行えるようになって、作業性が高いものとなる。
【００３３】
本発明によると、予備苗のせ台及び支持機構の位置を前後方向に人為的に変更する為の前後操作具が、予備苗のせ台の第２状態において、側面視で操作具及び保持具よりも前側に配置されている。
これにより、前後操作具が、予備苗のせ台の第２状態において、作業者が手で操作具及び保持具を持って、予備苗のせ台第２状態から第１状態に操作する際に、前後操作具が作業の妨げになり難いのであり、予備苗のせ台の作業性が高いものとなる。
【００３４】
本発明において、前記第１状態で、前記操作具が、側面視で前記前後操作具よりも上側に配置されていると好適である。
【００３５】
予備苗のせ台の第１状態から第２状態への操作及び第２状態から第１状態への操作は、予備苗のせ台及び支持機構の前後方向の位置変更操作に比べて、操作頻度が高いと考えられる。
本発明によると、第１状態において、操作具が側面視で前後操作具の上側に配置されているので、作業者が操作具を持ち易く、予備苗のせ台の第１状態から第２状態への操作が行い易くなる。
【００３６】
本発明において、前記第１状態で、前記予備苗のせ台が、側面視で運転座席よりも前側に配置されて、前記前後操作具が、平面視で前記操作具よりも前記運転座席側に配置されていると好適である。
【００３７】
予備苗のせ台及び支持機構を前後方向に位置変更する操作は、予備苗のせ台の第１状態及び第２状態への操作よりも、大きな操作力が必要と考えられる。
本発明によると、前後操作具が平面視で操作具よりも運転座席側に配置されており、運転座席の作業者に近い状態となっているので、運転座席の作業者にとって前後操作具に大きな操作力を掛け易くなり、予備苗のせ台及び支持機構を前後方向に位置変更する操作が容易に行えるようになる。
【００３８】
本発明において、前記予備苗のせ台及び前記支持機構を支持する支持フレームが、前記前後支持機構に設けられ、前記支持フレームが、側面視で、前記第１状態での前記予備苗のせ台の前端部と後端部との間の前後方向の中央部を通る位置に配置され、且つ、側面視で、前記第２状態での前記予備苗のせ台の前端部と後端部との間の前後方向の中央部を通る位置に配置されると好適である。
【００３９】
本発明によると、第１状態に操作された予備苗載せ台及び支持機構が、支持フレームより前後方向での重量バランス良く安定して支持されるのであり、第２状態に操作された予備苗載せ台及び支持機構が、支持フレームより前後方向での重量バランス良く安定して支持される。
【図面の簡単な説明】
【００４０】
【図１】乗用型田植機の左側面図である。
【図２】乗用型田植機の前部の平面図である。
【図３】乗用型田植機の前部の正面図である。
【図４】第１状態の左の予備苗のせ台の付近の左側面図である。
【図５】第２状態の左の予備苗のせ台の付近の左側面図である。
【図６】第１状態の左の予備苗のせ台が中央位置、前側位置及び後側位置に位置変更された状態を示す左側面図である。
【図７】左の支持部材及び支持リンクの付近の分解斜視図である。
【図８】左の支持部材の付近の縦断正面図である。
【図９】左の支持部材の付近の左側面図である。
【図１０】予備苗のせ台の第２状態での乗用型田植機の左側面図である。
【図１１】発明の実施の第１別形態において、左の予備苗のせ台の付近の左側面図及び背面図である。
【図１２】発明の実施の第１別形態において、左の操作具及び保持具の付近の左側面図である。
【発明を実施するための形態】
【００４１】
図１〜図１２に、移植機の一例である乗用型田植機が示されている。図１〜図１２において、Ｆは前方向を示し、Ｂは後方向を示し、Ｕは上方向を示し、Ｄは下方向を示している。Ｒは右方向を示し、Ｌは左方向を示している。
【００４２】
（乗用型田植機の全体構成）
図１に示すように、乗用型田植機は、右及び左の前輪１、右及び左の後輪２を備えた機体３の後部に、リンク機構４が上下に揺動可能に支持されて後側に延出されており、リンク機構４を昇降操作する油圧シリンダ５が設けられている。
【００４３】
苗植付装置６がリンク機構４の後部に支持され、機体３の後部及び苗植付装置６に亘って、田面に肥料を供給する施肥装置７が設けられており、苗植付装置６の前側の下部に、田面を整地する整地装置８が支持されている。
【００４４】
図１，２，３に示すように、機体３の右部及び左部の上部に、複数の予備苗のせ台３１，３２が配置されている。
後述の（予備苗のせ台を前後方向に位置変更可能に機体に支持する前後支持機構の構成）、及び（予備苗のせ台を第１状態及び第２状態に位置変更可能に前後支持機構に支持する支持機構の構成）に記載のように、予備苗のせ台３１，３２は、前後支持機構３７及び支持機構４５を介して機体３に支持されている。
【００４５】
（機体前部の構成）
図１，２，３に示すように、機体３の前部に配置されたミッションケース２２に、支持フレーム２３が連結されて前側に延出され、支持フレーム２３にエンジン（図示せず）が支持されている。エンジンを覆うボンネット２４が機体３の前部に設けられている。
【００４６】
前輪１を操向操作する操縦ハンドル２５、走行用の変速レバー２６、及び油圧シリンダ５を作動操作する為の昇降レバー２７が、ボンネット２４の上部に設けられている。
正面視でアーチ状の操作アーム５３が、起立姿勢（図１，２，３参照）、起立姿勢から前側に倒れた前傾姿勢に操作可能に、支持フレーム２３に支持されており、操作アーム５３の上部に、センターマスコット５４が設けられている。
【００４７】
ボンネット２４の右側及び左側からボンネット２４の後側に亘って、フロア２８が設けられており、フロア２８の後部の上部に、運転座席２０が配置されている。フロア２８において、ボンネット２４と右の予備苗のせ台３１，３２との間、ボンネット２４と左の予備苗のせ台３１，３２との間が、右及び左の通路となっており、作業者は右又は左の通路を通って、機体３から畦に移動したり、畦から機体３に乗り込んだりする。
【００４８】
フロア２８におけるボンネット２４の右側の部分に、ブレーキペダル５５が設けられ、ブレーキペダル５５に連結されたブレーキレバー５６が設けられており、フロア２８にロックレバー５７が設けられている。
【００４９】
例えば畦を越えて水田に進入する場合や、畦を越えて水田から出る場合、作業者は、機体３から降りて機体３の前側に立ち、操作アーム５３を前傾姿勢に設定して、操作アーム５３を持つことにより、機体３の向きの修正を行ったり、機体３の前部の浮き上がりを押さえたりする。
【００５０】
作業者は、手を延ばして変速レバー２６を操作したり、ブレーキレバー５６を持ってブレーキペダル５５を操作したりする。踏み込み状態（制動状態）のブレーキペダル５５及びブレーキレバー５６に、ロックレバー５７を掛けることにより、ブレーキペダル５５及びブレーキレバー５６を、踏み込み状態（制動状態）で保持することができる。
【００５１】
（苗植付装置の構成）
図１に示すように、苗植付装置６に、植付伝動ケース９、回転ケース１０、植付アーム１１、フロート１２、苗のせ台１３等が設けられている。
【００５２】
２個の植付伝動ケース９の後部の右部及び左部に、回転ケース１０が回転可能に支持され、回転ケース１０の両端に、植付アーム１１が支持されている。苗のせ台１３が、左右方向に往復移動可能に支持されている。
【００５３】
苗のせ台１３が左右方向に往復横送り駆動されるのに伴って、回転ケース１０が回転駆動され、苗のせ台１３の下部から植付アーム１１が交互に苗を取り出して田面に植え付ける。
【００５４】
（施肥装置の構成）
図１に示すように、施肥装置７に、ホッパー１５、繰り出し部１６、ブロア１７、作溝器１８及びホース１９等が設けられている。
【００５５】
機体３において運転座席２０の後側に、肥料を貯留するホッパー１５及び繰り出し部１６が支持されており、繰り出し部１６の左の横外側にブロア１７が設けられている。フロート１２に作溝器１８が取り付けられて、４個の作溝器１８が設けられており、繰り出し部１６と作溝器１８とに亘って４本のホース１９が接続されている。
【００５６】
ホッパー１５の肥料が繰り出し部１６により繰り出され、ブロア１７の搬送風によりホース１９を通って作溝器１８に供給されるのであり、作溝器１８により田面に溝が形成されながら、作溝器１８から田面の溝に肥料が供給される。
【００５７】
（整地装置の構成）
図１に示すように、苗植付装置６に支持された右及び左の支持ケース１４が、前側に延出されており、支持ケース１４の前部に亘って、駆動軸（図示せず）が回転可能に支持されており、多数の整地体２１が駆動軸に取り付けられている。
【００５８】
苗植付装置６の動力が、植付伝動ケース９から、支持ケース１４の伝動チェーン（図示せず）を介して、駆動軸に伝達され、駆動軸及び整地体２１が図１の反時計方向に回転駆動されて、整地体２１により田面の整地が行われる。
【００５９】
（予備苗のせ台を前後方向に位置変更可能に機体に支持する前後支持機構の構成）
図１〜図４に示すように、フレーム２９が、支持フレーム２３に連結されて、支持フレーム２３から右側及び左側に延出されており、フレーム２９の右端部及び左端部にブラケット３０が連結されている。
【００６０】
右及び左の支持フレーム３３の下部が、ブラケット３０の左右方向の軸芯Ｐ１周りに前後に揺動可能に支持され、右及び左の支持アーム３４の下部が、ブラケット３０の左右方向の軸芯Ｐ２周りに前後に揺動可能に支持されて、支持フレーム３３及び支持アーム３４が上側に延出されている。
【００６１】
図２及び図３に示すように、フロア２８の右前部及び左前部に凹部２８ａが形成されており、フロア２８におけるボンネット２４の付近の左右幅が、フロア２８における運転座席２０の付近の左右幅よりも小さなものとなっている。ブラケット３０、支持フレーム３３の下部及び支持アーム３４の下部が、平面視でフロア２８の凹部２８ａに入り込むように配置されている。
【００６２】
図３，７，８，９に示すように、アングル形状に折り曲げられた支持部材３５が、支持フレーム３３の上端部に連結されて、支点軸３３ａが、支持フレーム３３の上端部に外向きに連結されている。
【００６３】
図４，７，８に示すように、板材が箱状に折り曲げられて形成された支持部材３６が、左右方向の軸芯Ｐ３周りに揺動可能に、支持フレーム３３の支点軸３３ａに支持されている。支持部材３６から前側に延出されたアーム部３６ａに、支持アーム３４の上端部が、左右方向の軸芯Ｐ４周りに揺動可能に接続されている。
【００６４】
図１，４，６に示すように、支持フレーム３３、支持アーム３４及び支持部材３６が、側面視で平行四連リンクに構成されている。支持フレーム３３及び支持アーム３４を前後に揺動させることにより、支持部材３６が、上下方向に沿った姿勢を維持しながら、支持フレーム３３が上下方向に沿った中央位置Ｂ１、支持フレーム３３が前側に傾斜した前側位置Ｂ２、支持フレーム３３が後側に傾斜した後側位置Ｂ３に、前後方向に位置変更される。
【００６５】
図３に示すように、丸棒状の弾性材が折り曲げられた右及び左のトーションバネ４６が設けられている。トーションバネ４６が軸芯Ｐ１に沿って配置されて、トーションバネ４６の一方の端部が支持フレーム２３に連結され、トーションバネ４６の他方の端部が支持フレーム３３に接続されている。トーションバネ４６により、支持フレーム３３が前側位置Ｂ２及び後側位置Ｂ３から中央位置Ｂ１に付勢されている。
【００６６】
以上のように、支持フレーム３３、支持アーム３４及び支持部材３６等を備えた前後支持機構３７が設けられている。後述の（予備苗のせ台を第１状態及び第２状態に位置変更可能に前後支持機構に支持する支持機構の構成）に記載のように、予備苗のせ台３１，３２が、支持機構４５を介して支持部材３６に支持されている。
【００６７】
これにより、予備苗のせ台３１，３２及び支持機構４５が、前後支持機構３７（支持部材３６）により、中央位置Ｂ１、前側位置Ｂ２及び後側位置Ｂ３に、前後方向に位置変更可能に支持されている。
【００６８】
（前後支持機構において支持部材を中央位置、前側位置及び後側位置に操作及び保持する為の構成）
図２，３，４，７に示すように、丸棒材が折り曲げられて形成された前後操作具３８が設けられている。前後操作具３８が、支持部材３６の前後方向の軸芯Ｐ５周りに回転可能に支持されて、支持部材３６から前側及び後側に延出されている。
【００６９】
前後操作具３８の前端部が下向きに折り曲げられて、前後操作具３８の前端部に持ち手部３８ａが設けられており、前後操作具３８の後端部が下向きに折り曲げられて、前後操作具３８の後端部に持ち手部３８ｂが設けられている。図７及び図８に示すように、支持部材３６の内部において、前後操作具３８に、丸棒状の係合部３８ｃが連結されている。
【００７０】
図７，８，９に示すように、側面視で円弧状のガイド孔３９が、支持部材３５に開口されている。ガイド孔３９に、下向きに開口された中央保持部３９ａ、前側保持部３９ｂ及び後側保持部３９ｃが設けられ、中央保持部３９ａの上側から下向きに突出する牽制部３９ｄが設けられている。
【００７１】
前後操作具３８の係合部３８ｃが、ガイド孔３９に挿入されている。支持部材３６の内部において、前後操作具３８に受け板３８ｄが連結されて、前後操作具３８の受け板３８ｄと支持部材３６の内面との間に、バネ４０が取り付けられている。バネ４０により前後操作具３８が図８の反時計方向に付勢されており、前後操作具３８の係合部３８ｃが、ガイド孔３９の中央保持部３９ａ、前側保持部３９ｂ及び後側保持部３９ｃに入る側に付勢されている。
【００７２】
（前後操作具による支持部材の中央位置、前側位置及び後側位置への操作）
図４及び図９に示す状態は、予備苗のせ台３１，３２及び支持機構４５（支持部材３６）が、中央位置Ｂ１（図６参照）に操作された状態である。
【００７３】
図４及び図９に示す状態において、前後操作具３８の係合部３８ｃがガイド孔３９の中央保持部３９ａに入り込んで、前後操作具３８（持ち手部３８ａ，３８ｂ）が保持位置Ｃ１（図８参照）に位置しており、保持位置Ｃ１において前後操作具３８の持ち手部３８ａ，３８ｂは、下向きとなっている。
【００７４】
これにより、予備苗のせ台３１，３２及び支持機構４５（支持部材３６）が、前後操作具３８の係合部３８ｃ及びガイド孔３９の中央保持部３９ａによって、中央位置Ｂ１に保持されている。
【００７５】
機体３の前側の畦や水田内に立つ作業者は、前後操作具３８の持ち手部３８ａを持つことができるのであり、運転座席２０の作業者は前後操作具３８の持ち手部３８ｂを持つことができる。
【００７６】
図８及び図９に示すように、作業者が、前後操作具３８の持ち手部３８ａ，３８ｂを持ち、前後操作具３８を軸芯Ｐ５周りに解除位置Ｃ２に操作すると、前後操作具３８の係合部３８ｃが、ガイド孔３９の中央保持部３９ａから上側に抜ける。
【００７７】
作業者は、前後操作具３８の持ち手部３８ａ，３８ｂを解除位置Ｃ２に維持しながら、前後操作具３８を前後に押し引き操作することにより、予備苗のせ台３１，３２及び支持機構４５（支持部材３６）を、図６に示すように、中央位置Ｂ１から前側位置Ｂ２又は後側位置Ｂ３に、人為的に前後方向に位置変更することができる。
【００７８】
図６及び図９に示すように、予備苗のせ台３１，３２及び支持機構４５（支持部材３６）が、前側位置Ｂ２（後側位置Ｂ３）に位置変更されると、上下方向に沿った姿勢に維持された支持部材３６に対して、支持部材３５が軸芯Ｐ３周りに揺動する状態となるのであり、前後操作具３８の係合部３８ｃに対してガイド孔３９が軸芯Ｐ３周りに揺動する。
【００７９】
前側位置Ｂ２において前後操作具３８の係合部３８ｃが、ガイド孔３９の前側保持部３９ｂの上側に位置し、後側位置Ｂ３において前後操作具３８の係合部３８ｃが、ガイド孔３９の後側保持部３９ｃの上側に位置する。
【００８０】
作業者は、予備苗のせ台３１，３２及び支持機構４５（支持部材３６）を前側位置Ｂ２（後側位置Ｂ３）に位置変更した後、前後操作具３８を保持位置Ｃ１に操作し、前後操作具３８の係合部３８ｃを、ガイド孔３９の前側保持部３９ｂ（後側保持部３９ｃ）に入り込ませる。
【００８１】
これにより、予備苗のせ台３１，３２及び支持機構４５（支持部材３６）が、前後操作具３８の係合部３８ｃ及びガイド孔３９の前側保持部３９ｂ（後側保持部３９ｃ）によって、図６に示す前側位置Ｂ２（後側位置Ｂ３）に保持される。
【００８２】
作業者が、予備苗のせ台３１，３２及び支持機構４５（支持部材３６）を、前側位置Ｂ２から中央位置Ｂ１又は後側位置Ｂ３、後側位置Ｂ３から中央位置Ｂ１又は前側位置Ｂ２に位置変更する場合、作業者は、前後操作具３８の持ち手部３８ａ，３８ｂを持ち、前後操作具３８を解除位置Ｃ２に操作して、前述と同様な操作を行えばよい。
【００８３】
作業者が、予備苗のせ台３１，３２及び支持機構４５（支持部材３６）を、前側位置Ｂ２から後側位置Ｂ３（後側位置Ｂ３から前側位置Ｂ２）に位置変更する場合、途中の中央位置Ｂ１において、前後操作具３８の係合部３８ｃにガイド孔３９の牽制部３９ｄが当たり、前後操作具３８の係合部３８ｃがガイド孔３９の中央保持部３９ａに案内されて、前後操作具３８が保持位置Ｃ１に操作される。
【００８４】
これにより、予備苗のせ台３１，３２及び支持機構４５（支持部材３６）が、途中の中央位置Ｂ１に保持されるのであり、作業者は、前後操作具３８を再び解除位置Ｃ２に操作して、予備苗のせ台３１，３２及び支持機構４５（支持部材３６）を、中央位置Ｂ１から後側位置Ｂ３（前側位置Ｂ２）に位置変更する。
【００８５】
（予備苗のせ台を第１状態及び第２状態に位置変更可能に前後支持機構に支持する支持機構の構成）
図４及び図７に示すように、支持部材３６に、アーム部３６ｂが連結されて後側に延出されており、支点軸３６ｃが、アーム部３６ｂの端部に外向きに連結されている。
【００８６】
丸パイプ状の支持リンク４１，４２が設けられている。支持リンク４１の長手方向の中央部が、左右方向の軸芯Ｐ６周りに揺動可能に、支持部材３６の支点軸３６ｃに支持されている。支持リンク４２の長手方向の中央部が、左右方向の軸芯Ｐ３周りに揺動可能に、支持フレーム３３の支点軸３３ａに支持されている。
【００８７】
図２，３，４，８に示すように、角パイプ状の苗のせ台フレーム５１，５２が設けられている。支持リンク４１の一方の端部が、左右方向の軸芯Ｐ７周りに揺動可能に、苗のせ台フレーム５１の前後中間部に接続され、支持リンク４２の一方の端部が、左右方向の軸芯Ｐ８周りに揺動可能に、苗のせ台フレーム５１の前部に接続されている。
【００８８】
支持リンク４１の他方の端部が、左右方向の軸芯Ｐ９周りに揺動可能に、苗のせ台フレーム５２の後部に接続され、支持リンク４２の他方の端部が、左右方向の軸芯Ｐ１０周りに揺動可能に、苗のせ台フレーム５２の後部に接続されている。
【００８９】
図１，２，３に示すように、予備苗のせ台３１，３２は合成樹脂により一体的に形成されており、アーチ状の苗止め部材４３，４４が、予備苗のせ台３１，３２の前部及び後部に、着脱可能に設けられている。
【００９０】
図３及び図４に示すように、苗のせ台フレーム５１，５２の前部及び後部に、ブラケット５１ａ，５２ａが設けられており、ブラケット５１ａ，５２ａの前後方向の軸芯Ｐ１１，Ｐ１２周りに、予備苗のせ台３１，３２が、横向きの使用姿勢（図１，２，３参照）、及び起立した格納姿勢に姿勢変更可能に支持されている。
【００９１】
丸棒状の弾性材が折り曲げられた押さえ部材４７が、苗のせ台フレーム５１のブラケット５１ａに設けられている。押さえ部材４７は、起立した解除姿勢（図３及び図４参照）及び使用姿勢の予備苗のせ台３１に押圧される押さえ姿勢に、トグル機能によって操作可能である。
【００９２】
作業者は、空の苗箱（図示せず）や苗すくい板（図示せず）を、使用姿勢の予備苗のせ台３１に置いた場合、押さえ部材４７を押さえ姿勢に操作して、押さえ部材４７により、空の苗箱や苗すくい板が風で飛ばされないように押さえておく。
【００９３】
以上のように、支持リンク４１，４２、及び苗のせ台フレーム５１，５２等を備えた支持機構４５が設けられており、後述の（操作具による予備苗のせ台及び支持機構の第１状態及び第２状態への操作）に記載のように、予備苗のせ台３１，３２が、上下方向に所定の間隔を置いて配置された第１状態Ａ１（図４参照）、及び、前後方向に一列状に配置された第２状態Ａ２（図５参照）に位置変更可能に、支持機構４５により支持部材３６に支持されている。
【００９４】
（支持機構において予備苗のせ台を第１状態及び第２状態に操作及び保持する為の構成）
図２，４，５に示すように、右及び左の苗のせ台フレーム５１の後部に、右及び左の操作具４８が連結されて後側に延出されている。これにより、操作具４８が、予備苗のせ台３１の機体左右中央側の横側部に、前後方向に沿って設けられている。
【００９５】
右及び左の苗のせ台フレーム５１の後部に連結されたブラケット５１ｂに、右及び左の保持具４９が、左右方向の軸芯Ｐ１３周りに上下に揺動自在に支持されて、操作具４８の下側に配置されるように後側に延出されている。これにより、保持具４９が、予備苗のせ台３１の機体左右中央側の横側部に、前後方向に沿って設けられている。
【００９６】
保持具４９は、操作具４８から下側に離れた保持位置Ｄ１、及び保持位置Ｄ１よりも上側で操作具４８に近い解除位置Ｄ２に、上下方向に操作可能である。凹部状の第１係合部４９ａ及び第２係合部４９ｂが、保持具４９の基部に設けられている。苗のせ台フレーム５１のブラケット５１ｂに、バネ５０（付勢機構に相当）が取り付けられており、バネ５０により保持具４９が保持位置Ｄ１に付勢されている。
【００９７】
図４，５，７に示すように、右及び左の支持リンク４１において、苗のせ台フレーム５１に揺動可能に接続される部分（軸芯Ｐ７）を挟んだ一方側及び他方側の部分に、ピン状の第１係止部４１ａ及び第２係止部４１ｂが設けられている。支持部材３６のアーム部３６ｂに、ピン状のストッパー部３６ｄが設けられている。
【００９８】
（操作具による予備苗のせ台及び支持機構の第１状態及び第２状態への操作）
図１〜図４に示す状態は、複数の予備苗のせ台３１，３２が上下方向に所定の間隔を置いて配置された第１状態Ａ１に操作された状態である。
【００９９】
図４に示す状態は、支持リンク４１が、支持部材３６のストッパー部３６ｄに上側から当たり、保持具４９が保持位置Ｄ１に操作され、保持具４９の第１係合部４９ａが、支持リンク４１の第１係止部４１ａに係合して（保持具４９の第１係合部４９ａに、支持リンク４１の第１係止部４１ａが入り込んで）、予備苗のせ台３１，３２が第１状態Ａ１に保持された保持状態である。
【０１００】
予備苗のせ台３１，３２が第１状態Ａ１に保持された保持状態において、作業者が手で操作具４８を握るようにして持つと、手で保持具４９も一緒に握るようにして持つことができ、保持具４９を保持位置Ｄ１から解除位置Ｄ２に操作することができるのであり、保持具４９の第１係合部４９ａが、支持リンク４１の第１係止部４１ａから外れる。
【０１０１】
図４から図５に示すように、作業者が、操作具４８及び解除位置Ｄ２の保持具４９を、持ちながら運転座席２０側（後側）に引き操作すると、支持リンク４１，４２が軸芯Ｐ３，Ｐ６周りに図４及び図５の時計方向に揺動して、上側の予備苗のせ台３１が運転座席２０側（後側）に位置変更され、下側の予備苗のせ台３２が前側に位置変更される。
【０１０２】
図５に示すように、支持リンク４２が、支持部材３６のストッパー部３６ｄに上側から当たることにより、支持リンク４１，４２の揺動が止められるのであり、この状態において、支持リンク４１の第２係止部４１ｂが、保持具４９の第２係合部４９ｂに対向する。
【０１０３】
図５に示す状態が、複数の予備苗のせ台３１，３２が前後方向に一列状に配置された第２状態Ａ２である。第２状態Ａ２で、第１状態Ａ１での上側の予備苗のせ台３１が運転座席２０側（後側）となり、第１状態Ａ１での下側の予備苗のせ台３２が前側となり、予備苗のせ台３１の前端部３１ａと予備苗のせ台３２の後端部３２ｂとが接する。
【０１０４】
図５に示す状態において、作業者が保持具４９を離すと、バネ５０により保持具４９が解除位置Ｄ２から保持位置Ｄ１に揺動し、保持具４９の第２係合部４９ｂが、支持リンク４１の第２係止部４１ｂに係合して（保持具４９の第２係合部４９ｂに、支持リンク４１の第２係止部４１ｂが入り込んで）、予備苗のせ台３１，３２が第２状態Ａ２に保持された保持状態となる。
【０１０５】
図５に示す第２状態Ａ２において、作業者が、前述のように保持具４９を保持位置Ｄ１から解除位置Ｄ２に操作し、操作具４８及び解除位置Ｄ２の保持具４９を、持ちながら前側に押し操作することより、予備苗のせ台３１，３２を第２状態Ａ２から、図４に示す第１状態Ａ１に位置変更することができる。
【０１０６】
前述の（前後操作具による支持部材の中央位置、前側位置及び後側位置への操作）に記載のように、作業者が前後操作具３８を操作することにより、予備苗のせ台３１，３２を第１状態Ａ１（第２状態Ａ２）の保持状態に維持しながら、予備苗のせ台３１，３２及び支持機構４５（支持部材３６）を、中央位置Ｂ１、前側位置Ｂ２及び後側位置Ｂ３に位置変更することができる。
【０１０７】
（予備苗のせ台の第１状態での各部の位置関係）
図１〜図４に示すように、予備苗のせ台３１，３２が第１状態Ａ１に操作された状態において、各部の位置関係は以下の説明のようになっている。
【０１０８】
右及び左の予備苗のせ台３１，３２が、側面視で運転座席２０よりも前側に配置されている。右の予備苗のせ台３１，３２が、平面視で運転座席２０の右斜め前側に配置され、左の予備苗のせ台３１，３２が、平面視で運転座席２０の左斜め前側に配置されている。
【０１０９】
予備苗のせ台３１，３２が第１状態Ａ１に操作され、予備苗のせ台３１，３２及び支持機構４５（支持部材３６）が中央位置Ｂ１（図６参照）に操作された状態において、予備苗のせ台３１，３２の前端部３１ａ，３２ａが、側面視で機体３（ボンネット２４）の前端部及び起立姿勢の操作アーム５３と略同じ位置に配置されている。
【０１１０】
予備苗のせ台３１，３２の後端部３１ｂ，３２ｂが、側面視でボンネット２４の後端部と略同じ位置に配置されている。上側の予備苗のせ台３１が、側面視で操縦ハンドル２５と略同じ高さの位置、又は操縦ハンドル２５よりも少し低い位置に配置されている。
【０１１１】
中央位置Ｂ１、前側位置Ｂ２及び後側位置Ｂ３において、支持フレーム３３が、側面視で、第１状態Ａ１での予備苗のせ台３１，３２の前端部３１ａ，３２ａと後端部３１ｂ，３２ｂとの間の前後方向の中央部を通る位置に配置されている。
【０１１２】
操作具４８及び保持具４９が、平面視で上側の予備苗のせ台３１の運転座席２０側（機体左右中央側）の横側部に、前後方向に沿って設けられ、予備苗のせ台３１における前後方向の中央部よりも後側（運転座席２０側）に配置されており、保持具４９が操作具４８の下側に配置されている。
【０１１３】
操作具４８及び保持具４９、前後操作具３８、支持部材３６が、側面視で予備苗のせ台３１の上端部３１ｃよりも上側に出ない位置に配置されており、操作具４８が、側面視で予備苗のせ台３１の下端部３１ｄよりも下側に出ない位置に配置されている。
【０１１４】
保持位置Ｄ１に操作された保持具４９が、側面視で予備苗のせ台３１の下端部３１ｄよりも下側に出る位置に配置されており、解除位置Ｄ２に操作された保持具４９が、側面視で予備苗のせ台３１の下端部３１ｄと略同じ位置に配置されている。
【０１１５】
操作具４８及び保持具４９の前後方向での位置と、前後操作具３８の持ち手部３８ｂの前後方向での位置とが、側面視で略同じ位置に配置されている。
前後操作具３８（持ち手部３８ａ）が、側面視で予備苗のせ台３１，３２の前端部３１ａ，３２ａよりも後側に配置されており、操作具４８及び保持具４９、前後操作具３８（持ち手部３８ｂ）が、側面視で予備苗のせ台３１，３２の後端部３１ｂ，３２ｂよりも前側に配置されている。
【０１１６】
操作具４８及び解除位置Ｄ２に操作された保持具４９が、側面視で前後操作具３８よりも上側に配置され、前後操作具３８が、側面視で操作具４８及び保持位置Ｄ１に操作された保持具４９の間に配置されている。前後操作具３８及び解除位置Ｄ２に操作された保持具４９が、側面視で上側の予備苗のせ台３１と、下側の予備苗のせ台３２との間に配置されている。
【０１１７】
前後操作具３８（持ち手部３８ｂ）が、平面視で操作具４８及び保持具４９よりも機体左右中央側（ボンネット２４と予備苗のせ台３１，３２との間の通路側）（運転座席２０側）（前述の（機体前部の構成）参照）に配置されている。
前後操作具３８が保持位置Ｃ１（図８参照）に操作された状態において、前後操作具３８の持ち手部３８ａ，３８ｂは、下向きとなって前述の通路側に突出しない。
【０１１８】
予備苗のせ台３１，３２の前部及び後部に、苗止め部材４３，４４が設けられているので、予備苗のせ台３１，３２に載置された苗が、前側（後側）に移動して予備苗のせ台３１，３２から前側（後側）に落ちるようなことはない。
【０１１９】
（予備苗のせ台の第２状態での各部の位置関係）
図５及び図１０に示すように、予備苗のせ台３１，３２が第２状態Ａ２に操作された状態において各部の位置関係は以下の説明のようになっている。
【０１２０】
予備苗のせ台３１，３２が第２状態Ａ２に操作され、予備苗のせ台３１，３２及び支持機構４５（支持部材３６）が中央位置Ｂ１（図６参照）に操作された状態において、予備苗のせ台３２の前端部３２ａが、側面視で機体３（ボンネット２４）の前端部及び起立姿勢の操作アーム５３よりも前側の位置に配置されている。
【０１２１】
予備苗のせ台３１の後端部３１ｂが、側面視でボンネット２４の後端部よりも後側に配置されており、運転座席２０の座部の前端部と略同じ位置に配置されている。予備苗のせ台３１，３２が、側面視で操縦ハンドル２５よりも少し低い位置に配置されている。
【０１２２】
中央位置Ｂ１、前側位置Ｂ２及び後側位置Ｂ３において、支持フレーム３３が、側面視で、第２状態Ａ２での予備苗のせ台３１，３２の前端部３２ａと後端部３１ｂとの間の前後方向の中央部を通る位置に配置されている。
【０１２３】
右及び左の予備苗のせ台３１の後端部３１ｂが、側面視で運転座席２０と略同じ位置に配置されている。
前後操作具３８及び支持部材３６が、側面視で予備苗のせ台３１，３２の上端部３１ｃ，３２ｃよりも上側に出る位置に配置されており、前後操作具３８の持ち手部３８ａ，３８ｂが、側面視で予備苗のせ台３１，３２と重複する位置に配置されている。前後操作具３８（持ち手部３８ｂ）が、側面視で操作具４８及び保持具４９よりも前側に配置されている。
【０１２４】
前側の予備苗のせ台３２に対して、後側の予備苗のせ台３１が少し下側に位置するように配置されている。この場合、作業者は、予備苗のせ台３１の前部の苗止め部材４３、及び、予備苗のせ台３２の後部の苗止め部材４４を、取り外したり、予備苗のせ台３１，３２に亘る苗の移動に干渉しない姿勢（位置）に変更する。
以上の説明以外の操作具４８及び保持具４９、前後操作具３８等の位置関係は、前述の（予備苗のせ台の第１状態での各部の位置関係）に記載された位置関係と同じである。
【０１２５】
（発明の実施の第１別形態）
予備苗のせ台３１，３２が、以下の説明のように支持されてもよい。
図１１に示すように、予備苗のせ台３１，３２が、図１〜図１０に示す前後支持機構３７及び支持機構４５により支持されている。
【０１２６】
支持フレーム５８が、支持部材３６の上部に連結されて前側に延出され、側面視で円弧状に曲げられて上側に延出されている。支持フレーム５８において、支持部材３６から所定の間隔を開けた上側の位置が、後側に延出されている。支持フレーム５８に、予備苗のせ台５９が取り付けられている。
予備苗のせ台５９が、予備苗のせ台３１から上側に所定の間隔を開けて配置され、背面視及び平面視で予備苗のせ台３１，３２よりも少し機体左右中央側に配置されている。
【０１２７】
図１２に示すように、操作具４８が、苗のせ台フレーム５１の後部に連結されて上側に延出され、後側に延出されている。操作具４８が、側面視で予備苗のせ台３１の上端部３１ｃよりも上側に出る位置に配置されており、側面視で予備苗のせ台３１と予備苗のせ台５９との間に配置されている。
【０１２８】
保持具４９が、苗のせ台フレーム５１の後部の左右方向の軸芯Ｐ１４周りに前後に揺動可能に支持されており、保持具４９の下側への延出部分に、凹部状の第１係合部４９ａ及び第２係合部４９ｂが設けられている。保持具４９が、操作具４８の前側に配置され、側面視で予備苗のせ台３１の上端部３１ｃよりも上側に出る位置に配置されている。
【０１２９】
保持具４９は、上側の保持位置Ｄ１及び下側の解除位置Ｄ２に、上下方向に操作可能である。保持具４９と苗のせ台フレーム５１とに亘って、トグルバネ６０が取り付けられており、トグルバネ６０により、保持具４９が保持位置Ｄ１及び解除位置Ｄ２に付勢及び保持される。
【０１３０】
作業者が保持具４９を解除位置Ｄ２に操作することにより、保持具４９の第１係合部４９ａ及び第２係合部４９ｂが、支持リンク４１の第１係止部４１ａ及び第２係止部４１ｂから外れる。この場合、トグルバネ６０により保持具４９が解除位置Ｄ２に保持されるので、作業者は、保持具４９を持たずに、操作具４８を持つことによって、予備苗のせ台３１，３２を第１状態Ａ１及び第２状態Ａ２に操作することができる。
【０１３１】
予備苗のせ台３１，３２が第１状態Ａ１に操作された状態において、作業者が保持具４９を保持位置Ｄ１に操作すると、保持具４９の第１係合部４９ａが、支持リンク４１の第１係止部４１ａに係合して（保持具４９の第１係合部４９ａに、支持リンク４１の第１係止部４１ａが入り込んで）、予備苗のせ台３１，３２が第１状態Ａ１に保持される。
【０１３２】
予備苗のせ台３１，３２が第２状態Ａ２に操作された状態において、作業者が保持具４９を保持位置Ｄ１に操作すると、保持具４９の第２係合部４９ｂが、支持リンク４１の第２係止部４１ｂに係合して（保持具４９の第２係合部４９ｂに、支持リンク４１の第２係止部４１ｂが入り込んで）、予備苗のせ台３１，３２が第２状態Ａ２に保持される。
【０１３３】
（発明の実施の第２別形態）
前述の（発明の実施の第１別形態）の図１１に示す支持フレーム５８及び予備苗のせ台５９が、図１〜図１０に示す構成に加えられてもよい。
【０１３４】
支持リンク４１，４２の側面視での配置が前後逆向きに設定されることにより、第２状態Ａ２で、第１状態Ａ１での上側の予備苗のせ台３１が前側となり、第１状態Ａ１での下側の予備苗のせ台３２が運転座席２０側（後側）となり、予備苗のせ台３１の後端部３１ｂと予備苗のせ台３２の前端部３２ａとが接するようにしてもよい。
この構成では、操作具４８及び保持具４９が、予備苗のせ台３２（苗のせ台フレーム５２）に設けられるとよい。
【０１３５】
操作具４８及び保持具４９が予備苗のせ台３１，３２に直接に取り付けられてもよい。
３個以上の予備苗のせ台３１，３２に対して、図１〜図１０に示す構成や、図１１及び図１２に示す構成が適用されてもよい。
【産業上の利用可能性】
【０１３６】
本発明は、乗用型田植機ばかりではなく、野菜移植機等の移植機における予備苗のせ台にも適用できる。
【符号の説明】
【０１３７】
２０    運転座席
３１    予備苗のせ台
３１ａ  前端部
３１ｂ  後端部
３２    予備苗のせ台
３２ａ  前端部
３２ｂ  後端部
３３    支持フレーム
３７    前後支持機構
３８    前後操作具
４５    支持機構
４８    操作具
４９    保持具
５０    バネ（付勢機構）
Ａ１    第１状態
Ａ２    第２状態
Ｄ１    保持位置
Ｄ２    解除位置
【図１】
2020099262.tif 000003
【図２】
2020099262.tif 000004
【図３】
2020099262.tif 000005
【図４】
2020099262.tif 000006
【図５】
2020099262.tif 000007
【図６】
2020099262.tif 000008
【図７】
2020099262.tif 000009
【図８】
2020099262.tif 000010
【図９】
2020099262.tif 000011
【図１０】
2020099262.tif 000012
【図１１】
2020099262.tif 000013
【図１２】
2020099262.tif 000014